(57)【特許請求の範囲】
【請求項１】
映画フィルム上の画像情報を標準映像信号に変換する画像情報変換方法において、
１秒間当たり所定のコマ数で撮影された映画フィルム上の画像情報を走査線数（本）／フィールド周波数（Ｈｚ）が６２５／５０である映像信号に変換する第１の変換工程と、
上記第１の変換工程で変換された６２５／５０の映像信号を記録媒体に記録する記録工程と、
上記記録工程により６２５／５０の映像信号が記録された記録媒体から該映像信号を上記第１の変換工程のフィールド周波数と異なるフィールド周波数で再生する再生工程と、
上記再生工程で得られた映像信号を５２５／５９．９４の映像信号に変換する第２の変換工程と
を備えることを特徴とする画像情報変換方法。
【請求項２】
上記記録工程により６２５／５０の映像信号が記録された記録媒体から該映像信号をフィールド周波数５０Ｈｚのまま再生する他の再生工程を備え、上記再生工程と切り換えて用いることを特徴とする請求項１記載の画像情報変換方法。
【請求項３】
上記第１の変換工程は、１秒間当たり２４コマで撮影された映画フィルム上の画像情報を１秒間当たり２５コマのスピードで再生することを特徴とする請求項１記載の画像情報変換方法。
【請求項４】
上記第２の変換工程は、上記再生工程で得られた画像情報のフィールド周波数を５／４倍にするフィールド周波数変換工程を備えて成ることを特徴とする請求項３記載の画像情報変換方法。
【請求項５】
上記第１の変換工程は、１秒間当たり２５コマで撮影された映画フィルム上の画像情報を同じスピードで再生することを特徴とする請求項１記載の画像情報変換方法。
【請求項６】
上記第２の変換工程は、上記再生工程で得られた映像信号のフィールド周波数を６／５倍にするフィールド周波数変換工程を備えて成ることを特徴とする請求項５記載の画像情報変換方法。
【発明の詳細な説明】
【０００１】
【発明の属する技術分野】
本発明は、映画フィルム上に撮影された画像情報を光学的に読み取って、その画像情報をＰＡＬ、及びＮＴＳＣ方式の標準映像信号に変換する画像情報変換方法に関する。
【０００２】
【従来の技術】
従来、映画フィルム上に撮影された画像情報を、ＮＴＳＣ（National Television System Commitee）方式、及びＰＡＬ（Phase Alternating by Line）方式の標準映像信号に変換するには、画像読み取り装置であるテレシネ（Telecine）装置を用いた図１１に示すシステムが考えられていた。
【０００３】
欧州を中心に使用されているＰＡＬ方式の映像信号は、走査線数（本）／フィールド周波数（Ｈｚ）が６２５／５０である。これに対して、米国、日本を中心に使用されているＮＴＳＣ方式の映像信号は、５２５／５９．９４（正確にはフィールド周波数は６０／１．００１＝５９．９４００５９９４．．．であるが、以下５２５／５９．９４と表記する。）である。
【０００４】
通常、映画フィルム１４１は１秒間に２４コマで撮影されているが、図１１に示したシステムでは、ＰＡＬ方式の６２５／５０の映像信号を、テレシネ装置１４２の再生スピードを１秒間当たり２５コマとして得ていた。
【０００５】
これに対して、ＮＴＳＣ方式の５２５／５９．９４の映像信号は、テレシネ装置１４２での再生スピードを撮影スピードと同様１秒間当たり２４コマ（正確には２４／１．００１＝２３．９７６０２３９８．．．）として再生した後、フィールド周波数変換装置１４３によりフィールド周波数を５９．９４Ｈｚに変換して得ていた。
【０００６】
【発明が解決しようとする課題】
ところで、図１１に示したシステムで映画フィルム上の画像情報をＰＡＬ、及びＮＴＳＣ方式の映像信号に変換する際には以下のような問題点が生じてしまう。
【０００７】
先ず、上記システムでは、ＰＡＬ方式の６２５／５０の映像信号を得る際、及びＮＴＳＣ方式の５２５／５９．９４の映像信号を得る際の二度にわたってテレシネ装置１４２を使用している。テレシネ装置２は高価であり一つのユーザが複数台を所有することは希である。このため、テレシネ装置１４２を占有するのはその使用効率を悪化させてしまう。
【０００８】
また、テレシネ装置１４２では、映画フィルム１４１の幅方向に形成された例えば両側パフォレーションに噛合するスプロケットにより、該映画フィルム１４１を一定速度に走行させたり、間欠走給させており、複数回にわたり映画フィルム１４１をテレシネ装置１４２にかけることにより、映画フィルム１４１を傷める頻度が増すことになってしまう。
【０００９】
また、上記システムで得たＰＡＬ方式の６２５／５０の映像信号、及びＮＴＳＣ方式の５２５／５９．９４の映像信号を放映する前には、それぞれ編集処理を加えるのが一般的であるが、この場合、６２５／５０の映像信号用、及び５２５／５９．９４の映像信号用の二つのマスターテープが必要となってしまう。
【００１０】
また、ＮＴＳＣ方式の５２５／５９．９４の映像信号は元の映画フィルム１４１に比べてその演奏時間が０．１％長くなるだけであるが、ＰＡＬ方式の６２５／５０の映像信号では、変換過程において１秒間当たり２４コマで撮影された映画情報を１秒間当たり２５コマで再生しているのでその演奏時間が約４％短くなってしまう。
【００１１】
本発明は、上記実情に鑑みてなされたものであり、テレシネ装置の使用を１度とし、使用効率を上げると共に、映画フィルムを傷める頻度を下げる画像情報変換方法の提供を目的とする。
【００１２】
また、本発明は、マスターテープを一本だけにできる画像情報変換方法の提供を目的とする。
【００１３】
さらに、本発明は、上記二つの方式の映像信号の演奏時間を実用上映画フィルムの演奏時間と同じにする画像情報変換方法の提供を目的とする。
【００１４】
【課題を解決するための手段】
本発明に係る画像情報変換方法は、上記課題を解決するために、１秒間当たり所定のコマ数で撮影された映画フィルム上の画像情報を第１の変換工程が走査線数６２５（本）／フィールド周波数５０（Ｈｚ）の映像信号に変換し、その６２５／５０の映像信号を記録工程が記録媒体に記録し、その記録媒体から再生工程が６２５／５０の映像信号を第１の変換工程で用いたフィールド周波数５０Ｈｚとは異なるフィールド周波数で再生してから、第２の変換工程が該映像信号をＮＴＳＣ方式の５２５／５９．９４の映像信号に変換する。
【００１５】
ここで、この画像情報変換方法は、上記記録工程により６２５／５０の映像信号が記録された記録媒体を、フィールド周波数５０Ｈｚで再生する他の再生工程を備え、上記再生工程と切り換えて用いてもよい。
【００１６】
また、１秒間当たり２４コマで撮影された映画フィルム上の画像情報を上記第１の変換工程が１秒間当たり２５コマのスピードで再生した場合、上記第２の変換工程は上記再生工程で得られた映像信号のフィールド周波数を５／４倍にする。
【００１７】
また、１秒間当たり２５コマで撮影された映画フィルム上の画像情報を上記第１の変換工程が同じスピードで再生した場合、上記第２の変換工程は上記再生工程で得られた映像信号のフィールド周波数を６／５倍にする。
【００１８】
【発明の実施の形態】
以下、本発明に係る画像情報変換方法のいくつかの実施の形態について説明する。
先ず、第１の実施の形態について図１〜図８を参照しながら説明する。
この第１の実施の形態は、１秒間当たり２４コマ、すなわち２４フレームパーセコンド（Ｆｐｓ）で撮影された映画フィルム１０上の画像情報をＰＡＬ方式の走査線６２５（本）／フィールド周波数５０（Ｈｚ）の映像信号、及びＮＴＳＣ方式の５２５／５９．９４の映像信号に変換する画像情報変換方法を適用した画像情報変換システムである。
【００１９】
この画像情報変換システムは、２４Ｆｐｓで撮影された映画フィルム１０上の画像情報を２５Ｆｐｓで再生して６２５／５０の映像信号に変換するテレシネ装置１１と、このテレシネ装置１１で変換された６２５／５０の映像信号をビデオテープカセット１３にそのままの走査線数／フィールド周波数で記録するディジタルビデオテープ記録装置１２と、このディジタルビデオテープ記録装置１２により６２５／５０の映像信号が記録されたビデオテープカセット１３をフィールド周波数５０Ｈｚで再生するディジタルテープ再生装置１４と、上記ディジタルビデオテープ記録装置１２により６２５／５０の映像信号が記録されたビデオテープカセット１３をフィールド周波数４７．９５２Ｈｚ（正確には６０／１．００１×４／５＝４７．９５２０４７９５・・・であるが以下４７．９５２と表記する。）で再生するモディファイディジタルビデオテープ再生装置１５と、このモディファイディジタルビデオテープ再生装置１５で得られた６２５／４７．９５２の映像信号を５２５／５９．９４の映像信号に変換するＮＴＳＣ変換部１６とを備えて成る。
【００２０】
このＮＴＳＣ変換部１６は、モディファイディジタルビデオテープ再生装置１５で得られた６２５／４７．９５２の映像信号の走査線数を５２５本に変換する走査線数変換装置１７と、フィールド周波数を５９．９４Ｈｚに変換するフィールド周波数変換装置１８とから成る。
【００２１】
映画フィルム１０は、幅方向の両側にフィルム送り用のパフォレーション１０ａを備えている。
テレシネ装置１１は、上記パフォレーション１０ａに噛合するスプロケットにより、映画フィルム１０を一定速度で走行させて、各コマの画像情報を、６２５／５０の映像信号に変換する。
【００２２】
このテレシネ装置１１の構成を図２に示す。
このテレシネ装置１１は、映画フィルム１０が供給リール２１から引き出されて案内ローラ２２、テンションローラ２３、案内ローラ２４、駆動ローラ２５及び案内ローラ２６を介して巻取りリール２７に巻き取られるように装架されるフィルム走行系を備え、このフィルム走行系の上記案内ローラ２４と駆動ローラ２５の間に設けられた情報読み取り部３０により上記映画フィルム１０から画像情報や音声情報を光学的に読み取り、その読み取り信号からビデオ信号とオーディオ信号を信号処理部４０により生成して、各信号出力端子５１，５２からディジタルビデオテープ記録装置１２に出力するようになっている。
【００２３】
上記フィルム走行系の供給リール２１、駆動ローラ２５及び巻取りリール２７は、上記映画フィルム１０を一定速度で搬送する搬送手段として機能するもので、モータ制御回路２８によりそれぞれ駆動制御される駆動モータにより回転されて、上記映画フィルム１０を一定速度で走行させるようになっている。
【００２４】
なお、テンションローラ２３は、一端が引張コイルバネ２３Ａにより弾性付勢されたテンションアーム２３Ｂの先端に設けられており、引張コイルバネ２３Ａによる弾性付勢力をもって映画フィルム１０に転接することによりテンションを一定に保持する。そして、上記映画フィルム１０は上記テンションコントローラ２３でテンションが一定に保たれながら駆動ローラ２５により一定速度で走行され、巻取りリール２７に巻き取られる。駆動ローラ２５は、映画フィルム１０を挟持した状態で一定回転することにより、該映画フィルム１０を一定速度で走行させる。
【００２５】
また、情報読み取り部３０は、映画フィルム１０に写し込まれている各種情報を上記フィルム走行系の案内ローラ２４と駆動ローラ２５の間において光学的に読み取るもので、読み取り用の光源３１と、この光源３１から出射された情報読み取り用の光を映画フィルム１０を介して受光するＣＣＤリニアセンサ３２とからなる。このＣＣＤリニアセンサ３２は映画フィルム１０の全幅に対応されて配置されている。情報読み取り部３０は、上記フィルム走行系を一定速度で走行する上記映画フィルム１０について、単位時間毎に全幅分の情報を上記ＣＣＤリニアセンサ３２により読み取り、その読み取り信号を信号処理部４０に供給する。
【００２６】
さらに、信号処理部４０は、情報読み取り部３０のＣＣＤリニアセンサ３２から読み取り信号が供給されるＡ／Ｄ変換器４１、このＡ／Ｄ変換器４１により上記読み取り信号をディジタル化した読み取りデータが供給されるバッファメモリ４２、このバッファメモリ４２から上記読み取りデータが読み出されて供給される画面位置制御ブロック４３、画像処理ブロック４４及びオーディオ処理ブロック４５、上記画面位置制御ブロック４３から画面のフレームタイミング情報が供給されるビデオタイミングブロック４６、上記画像処理ブロック４４からビデオデータが供給されるＤ／Ａ変換器４７、このＤ／Ａ変換器４７により上記ビデオデータをアナログ化したビデオ信号が供給されるエンコーダ４８、上記オーディオ処理ブロック４５からオーディオデータが供給されるＤ／Ａ変換器４９などを備えて成る。
【００２７】
バッファメモリ４２は、情報読み取り部３０のＣＣＤリニアセンサ３２からの上記読み取り信号をＡ／Ｄ変換器４１がディジタル化した読み取りデータを一時的に蓄積する。このバッファメモリ４２に一時蓄積される読み取りデータには、映画フィルム１０の画面領域についての読み取り信号をディジタル化した画像情報、コマ位置情報、各コマの制御情報、ディジタルオーディオ情報などが含まれている。
【００２８】
このバッファメモリ４２からの上記読み取りデータの読み出しは、上記画面位置制御ブロック４３から供給される画面のフレームタイミング情報に基づいて、ビデオタイミングブロック４６により制御されており、上記バッファメモリ４２から上記画像情報、上記コマ位置情報、各コマの制御情報、ディジタルオーディオ情報などが分離して読み出される。そして、上記コマ位置情報及び各コマの制御情報が上記画面位置制御ブロック４３に供給され、また、上記画像情報が上記画像処理ブロック４４に供給され、さらに、上記ディジタルオーディオ情報が上記オーディオ処理ブロック４５に供給される。
【００２９】
画面位置制御ブロック４３は、上記コマ位置情報及び各コマの制御情報からフィルム送りの制御情報及び画面のフレームタイミング情報を生成し、この情報を上記モータ制御回路２８に供給するとともに、フレームタイミング情報を上記ビデオタイミングブロック４６に供給する。
【００３０】
モータ制御回路２８は、上記制御情報に応じて各駆動モータを駆動して、上記フィルム走行系の供給リール２１、駆動ローラ２５及び巻取りリール２７の回転制御を行うことにより、映画フィルム１０を一定速度で走行させる。
【００３１】
このテレシネ装置１１では、２４Ｆｐｓで撮影された映画フィルム１０を２５Ｆｐｓで再生するようにモータ制御回路２８が上記制御情報に応じて各駆動モータを駆動し、上記フィルム走行系の供給リール２１、駆動ローラ２５及び巻取りリール２７の回転制御を行う。
【００３２】
画像処理ブロック４４は、１フレーム分の画像データを一時記憶するフレームメモリなどを備えてなり、上記画像情報に色補正や画面のサイズ補正などの画像処理を施す。この画像処理ブロック４４は、画像処理を施したビデオデータをＤ／Ａ変換器４７に供給する。そして、Ｄ／Ａ変換器４７は、画像処理ブロック４４により画像処理が施された画像情報をアナログ化して上記エンコータ４８に供給する。エンコーダ４８は、Ｄ／Ａ変換器４７によりアナログ化されたビデオ信号をハイビジョン等の所定のテレビジョン方式に準拠したビデオ信号に変換し、このビデオ信号を出力端子５１からディジタルビデオテープ記録装置１２に出力する。
【００３３】
また、オーディオ処理ブロック４５は、バッファメモリ４２から読み出されたディジタルオーディオ情報について、誤り訂正処理などのオーディオ処理を施す。このオーディオ処理ブロック４５は、オーディオ処理を施したディジタルオーディオデータをＤ／Ａ変換器４９に供給する。そして、Ｄ／Ａ変換器４９は、オーディオ処理ブロック４５によりオーディオ処理を施したディジタルオーディオデータをアナログ化する。このＤ／Ａ変換器４９によりアナログ化したオーディオ信号を信号出力端子５２からディジタルビデオテープ記録装置１２に出力する。
【００３４】
このようにテレシネ装置１１からディジタルビデオテープ記録装置１２には、本来２４Ｆｐｓで撮影された映画フィルム１０を２５Ｆｐｓで再生した６２５／５０のビデオ信号及びオーディオ信号が供給されることになる。
【００３５】
ディジタルビデオテープ記録装置１２としては、例えばＤ−１フォーマットのビデオテープ記録装置（以下、Ｄ−１ビデオテープ記録装置という。）を用いることができる。Ｄ−１ビデオテープ記録装置は、ＣＣＩＲ．Ｒｅｃ．６０１に対応するいわゆる４：２：２コンポーネント符号化方式に基づいた規格のビデオテープ記録装置である。このため、Ｄ−１ビデオテープ記録装置をディジタルビデオテープ記録装置１２として用いる場合には、上記テレシネ装置１１から供給されるビデオ信号は、４：２：２コンポーネント符号化方式のビデオ信号とされている。
【００３６】
Ｄ−１ビデオテープ記録装置のビデオ、オーディオ処理系の概略構成を図３に示す。
テレシネ装置１１が出力端子５１を介して出力したコンポーネントビデオ信号Ｙ，Ｂ−Ｙ，Ｒ−Ｙは、Ａ／Ｄ変換器６１でそれぞれディジタルビデオ信号Ｙ，Ｃb，Ｃrに変換される。これらディジタルビデオ信号Ｙ，Ｃb，Ｃrは、ソースコーディング回路６２に供給される。
【００３７】
ソースコーディング回路６２は、上記ディジタルビデオ信号Ｙ，Ｃb，Ｃrを重み順符号を用いて符号化する。これは、１０進の大きさ順に並べた例えば８ビット符号を、重みの順に並べた符号に対応させて変換するコーディング処理である。これにより、誤り訂正符号により検出できず、画面に残る誤りの影響を軽減する。ソースコーディング回路６２で符号化されたディジタルビデオ信号Ｙ，Ｃb，Ｃrはインタセクタシャフリング回路６３に供給される。
【００３８】
インタセクタシャフリング回路６３は、インタセクタにおけるシャフリングを上記ディジタルビデオ信号Ｙ，Ｃb，Ｃrに施す。後段のアウタエンコーダ６４で行う誤り訂正符号（ＥＣＣ）により、誤りの存在は検出できるが訂正ができない場合がある。この場合、修整により目立たないように処理するが、それでも修整画素が画面内で集中すると画質劣化が無視できなくなる。そのために、このインタセクタシャフリング回路６３では、画像符号の発生順序と記録符号の順序をインタセクタで入れ換える。インタセクタシャフリング回路６３のシャフリング出力は、アウタエンコーダ６４に供給される。
【００３９】
アウタエンコーダ６４は、上記シャフリング出力にＥＣＣ符号を付加する。具体的には、上記シャフリング出力を所定の長さのブロックに区切り、所定の演算により外符号用の２ワードのリードソロモン積符号（検査符号）を生成し付加する。アウタエンコーダ６４のエンコーダ出力は、イントラセクタシャフリング回路６５に供給される。
【００４０】
イントラセクタシャフリング回路６５は、上記エンコード出力のイントラセクタにシャフリング処理を施す。具体的には、外検査符号生成後の２次元に配置された符号を、同一の２次元ブロック内でなるべくランダムに並べなおす。
【００４１】
一方、テレシネ装置１１が出力端子５２を介して出力したアナログオーディオ信号、例えばＲ，Ｌチャンネル信号は、Ａ／Ｄ変換器６６でディジタルオーディオ信号に変換される。このディジタオーディオ信号は、前処理回路６７に供給されて前処理が施された後、ブロック化回路６８に供給される。
【００４２】
ブロック化回路６８は、上記オーディオ信号をブロック化しアウタエンコーダ６９に供給する。アウタエンコーダ６９は、ブロック化された上記オーディオ信号にＥＣＣ符号を付加し、シャフリング回路７０に供給する。シャフリング回路７０は、エンコード出力をシャフリングする。
【００４３】
イントラセクタシャフリング回路６５からのビデオシャフリング出力とシャフリング回路７０からのオーディオシャフリング出力は、多重化回路７１に供給される。
【００４４】
多重化回路７１は、上記ビデオシャフリング出力と上記オーディオシャフリング出力とを時分割多重する。この多重化出力はインナエンコーダ７２に供給される。
【００４５】
インナエンコーダ７２は、上記多重化出力にＥＣＣ符号の一種である共通の内符号（インナコード）を付加する。このエンコード出力は同期／ＩＤ付加回路７３に供給される。
【００４６】
オーディオ信号とビデオ信号は同期ブロックと呼ばれる共通のフォーマットで構成されており、同期／ＩＤ付加回路７３は２個のインナーコードブロックに同期パターンとブロックの番号などを示すＩＤパターンを加え、１シンクブロックとして、スクランブル回路７４に出力する。
【００４７】
スクランブル回路７４からのスクランブル出力は、記録アンプ７５、回転トランスを介してヘッド７６に記録電流として供給され、高密度記録に適した未飽和記録によって磁気テープ７７にディジタル記録される。
【００４８】
Ｄ−１ビデオテープ記録装置のようなディジタルビデオテープ記録装置は、アナログビデオテープ記録装置に比べて、記録信号の画質、音質の向上を実現すると共に、ダビング特性の向上を実現できる。ディジタル記録による再生画質は符号化のパラメータに主として依存し、記録再生特性の影響を受けにくい。例えば、再生画像の波形歪みは、Ａ／Ｄ、Ｄ／Ａ変換前後のアナログ回路の歪みのみとなる。また、記録再生時の歪み、雑音は再生符号の誤りとなり、画質劣化の要因とはなるが、誤り率がある値以下であれば、誤り訂正符号の使用によりこれを訂正又は修整することができる。これらの理由により、ディジタル記録の方が高画質が期待でき、特にダビング時に顕著となる。
【００４９】
ディジタルビデオテープ記録装置１２であるＤ−１ビデオテープ記録装置によって上記テレシネ装置１１からのビデオ信号をビデオテープカセット１３の磁気テープ７７に６２５／５０で記録する。このディジタルビデオテープ記録装置１２で６２５／５０規格のビデオ信号が記録されたビデオテープカセット１３は、ＰＡＬ方式の再生系、及びＮＴＳＣ方式の再生系でＤ−１ビデオテープ再生装置をディジタルビデオテープ再生装置１４、及びモディファイディジタルビデオテープ再生装置１５として用いることにより、共通のマスタビデオテープカセット１３とすることができる。
【００５０】
マスタビデオテープカセット１３を１本とするということは、テレシネ装置１１の使用を一度とすることであるので、ソフト的な価値の非常に高い映画フィルム１０を傷つける頻度を少なくできる。
【００５１】
また、ＮＴＳＣ方式の映像信号に編集を加える場合でも６２５／５０のビデオ信号が記録されたマスタビデオテープカセット１３を使うので、６２５／５０での編集が可能となり、垂直解像度を向上することができる。
【００５２】
このマスタビデオテープカセット１３の磁気テープ７７をディジタルビデオテープ再生装置１４がそのままフィールド周波数５０Ｈｚで再生すれば、ＰＡＬ方式の６２５／５０のビデオ信号を得ることができる。この場合、ビデオ信号の再生時間は、テレシネ装置１１での２５Ｆｐｓ再生というテープスピードに依存するので、４％短くなる。例えば、１２０分の映画を６２５／５０のビデオ信号として再生すると１１５分で終わる。
【００５３】
なお、このディジタル再生装置１４としては、Ｄ−１ビデオテープ再生装置を用いることができる。
【００５４】
Ｄ−１ビデオテープ再生装置のビデオ、オーディオ処理系の概略構成を図４に示す。
マスタビデオテープカセット１３の磁気テープ７７に記録されたディジタル信号は、再生ヘッド８１により再生された後、再生アンプ８２で増幅される。再生アンプ８２の再生出力は同期／ＩＤ検出回路８３に供給される。
【００５５】
同期／ＩＤ検出回路８３は、上記再生出力から同期信号とＩＤを検出し、信号の区切り、ブロック番号を明らかにする。
【００５６】
デスクランブル回路８４は、上記再生出力のスクランブルを解除し、スクランブルの解除された再生信号をインナデコーダ８５に供給する。
【００５７】
インナデコーダ８５は、上記再生信号に付加されている内符号を用いて誤り訂正を実行し、その出力をデータ分離回路８６に供給する。
【００５８】
データ分離回路８６によって分離されたディジタルビデオ信号はイントラセクタデシャフリング回路８７に、またディジタルオーディオ信号はデシャフリング回路９２に供給される。
【００５９】
イントラセクタデシャフリング回路８７は、上記ディジタルビデオ信号をイントラセクタでデシャフリングし、コンポーネントのディジタルビデオ信号Ｙ，Ｃｂ，Ｃrをアウタデコーダ８８に供給する。
【００６０】
アウタデコーダ８８で外符号を用いての誤り訂正が施されたディジタルビデオ信号Ｙ，Ｃｂ，Ｃrは、インタセクタデシャフリング回路８９、ソースデコーダ９０を介してＤ／Ａ変換器９１に供給される。Ｄ／Ａ変換器９１は、上記ディジタルビデオ信号Ｙ，Ｃｂ，Ｃrをアナログのコンポーネントビデオ信号Ｙ，Ｂ−Ｙ，Ｒ−Ｙに変換して出力する。
【００６１】
一方、デシャフリング回路９２は、データ分離回路８６で分離されたディジタルオーディオ信号のシャフリングを解く。シャフリングが解かれたディジタルオーディオ信号は、アウタデコーダ９３により誤り訂正処理が施された後、後処理回路９４、オーディオコンシール回路９５を介してＤ／Ａ変換器９６に供給される。
【００６２】
Ｄ／Ａ変換器９６は、上記ディジタルオーディオ信号をアナログオーディオ信号に変換し、例えばＲ，Ｌチャンネルオーディオ信号として出力する。
【００６３】
一方、上記マスタビデオテープカセット１３から５２５／５９．９４のビデオ信号を得るには、モディファイディジタルビデオテープ再生装置１５を用いた再生を行う必要がある。
このモディファイディジタルビデオテープ再生装置１５でもＤ−１ビデオテープ再生装置を用いることができる。この場合のＤ−１ビデオテープ再生装置のビデオ、オーディオ処理系の構成も図３と同様であるのでここでは説明を省略する。
【００６４】
このモディファイディジタルビデオテープ再生装置１５は、サーボ系を図５に示すように構成し、マスタビデオテープカセット１３の磁気テープ７７に記録されている６２５／５０のビデオ信号をフィールド周波数４７．９５２Ｈｚで再生する。
【００６５】
同期信号分離回路１０１は、入力される基準信号から水平同期信号を抽出し、フェーズロックループ（ＰＬＬ）回路１０２に供給する。このＰＬＬ回路１０２は、後述するようにＬＣを可変とした電圧制御形発振回路（voltage controlled oscillator、ＶＣＯ）を用いており、入力される基準信号のフィールド周波数に応じ、Ｃの値が変化し、発振クロックの周波数を可変することができる。ＰＬＬ回路１０２が出力したクロックは、垂直（Ｖ）同期（ＳＹＮＣ）発生器１０３に供給される。ＶＳＹＮＣ発生器１０３が発生した垂直同期信号は、ドラムサーボ系１０４及びキャプスタンサーボ系１１０に供給される。ＶＳＹＮＣ発生器１０３は、ビデオ、オーディオ処理系に必要とされる各種クロックも発生するが、ここでは説明を省略する。
【００６６】
ドラムサーボ系１０４では、ドラムモータ１０５からのドラム回転パルス（ＰＧ）と上記垂直同期信号との位相を位相比較器１０６が比較し、位相制御信号を演算増幅器１０７の反転入力端子に供給している。演算増幅器１０７には、ドラムモータ１０５からの周波数発生（ＦＧ）パルスから速度検出器１０９が検出した速度制御信号も供給されている。演算増幅器１０７の演算出力は駆動増幅器１０８で増幅されてからドラムモータ１０５に供給され、該ドラムモータ１０５の回転数及び回転位相のズレを補正するのに使われる。
【００６７】
キャプスタンサーボ系１１０では、再生コントロール信号を分周器１１５で分周した信号と、上記垂直同期信号とを位相比較器１１２で位相比較し、位相制御信号を演算増幅器１１３の反転入力端子に供給している。演算増幅器１１３には、キャプスタンモータ１１１からの周波数発生（ＦＧ）パルスから速度検出器１１６が検出した速度制御信号も供給されている。演算増幅器１１３の演算出力は駆動増幅器１１４で増幅されてからキャプスタンモータ１１１に供給され、該キャプスタンモータ１１１の回転数及び回転位相のズレを補正するのに使われる。
【００６８】
ＰＬＬ回路１０２の構成を図６に示す。このＰＬＬ回路１０２は、位相比較器１２１と、低域フィルタ１２２と、ＶＣＯ１２３と、分周器１２４とを備えてなる。
【００６９】
位相比較器１２１は、同期信号分離回路１０１で分離抽出された水平同期信号と、ＶＣＯの出力クロックを所定の分周比で分周したクロックとの位相を比較する。
【００７０】
低域フィルタ１２２のフィルタ出力は、ＶＣＯ１２３に供給されるが、このＶＣＯ１２３はフィルタ出力によってＬＣの値が変化し、発生クロックを例えば４７．９５２Ｈｚ、４９．９５Ｈｚ又は５０Ｈｚというようにサーボ系１００に供給される基準信号により切り換えることができる。
【００７１】
したがって、モディファイディジタルビデオテープ再生装置１５では、フィールド周波数が４７．９５２Ｈｚである６２５／４７．９５２基準信号を入力することにより、６２５／５０のビデオ信号を６２５／４７．９５２のビデオ信号として再生することができる。
【００７２】
このモディファイディジタルビデオテープ再生装置１５で得られた５２５／４７．９５２のビデオ信号は、ＮＴＳＣ変換部１６に供給されて、５２５／５９．９４のビデオ信号に変換される。
【００７３】
ＮＴＳＣ変換部１６は、上述したように、６２５／４７．９５２の映像信号の走査線数を５２５本に変換する走査線数変換装置１７と、フィールド周波数を５９．９４Ｈｚに変換するフィールド周波数変換装置１８とを備えてなる。
【００７４】
走査線数変換装置１７は、６２５本の走査線を５２５本に走査線補間（ラインインターポレーション）する。この走査線数変換装置１７は、６２５本の走査線を５７６アクティブラインから４８６アクティブラインへと垂直フィルタリングして、５２５本の走査線を得ている。走査線が６２５本である場合の垂直解像度は、５２５本の場合の垂直解像度より高いので、リサンプリングプロセスでの垂直解像度の損失はなくなり、高画質が期待できる。
【００７５】
フィールド周波数変換装置１８は、４７．９５２Ｈｚというフィールド周波数を５／４倍して５９．９４Ｈｚに変換するために、いわゆる３：２プルダウン処理を行う。
【００７６】
このいわゆる３：２ブルダウン処理について図７及び図８を参照しながら説明する。フィールド周波数４７．９５２Ｈｚのビデオ信号をインターレースで走査し、入力側１８ａのevenフィールドを出力側１８ｂのevenフィールドに、入力側１８ａのoddフィールドを出力側１８ｂのoddフィールドになるように変換する。入力側１８ａの映像信号はテレシネ装置１１の映像出力に基づいているので、同一フレーム内においては時間差がない。このため、出力側１８ｂに変換される映像信号は、時間的には不都合を生じさせない。入力側４フレームにつき、出力側に新たに１フレームを作り出すことになるが、フレーム内のフィールド順に不都合を生じさせないので動きに不自然さを感じさせない。
【００７７】
なお、このＮＴＳＣ変換部１６により得られた５２５／５９．９４のビデオ信号の再生時間は、映画フィルム１０の通常再生時間より０．１％だけ長くなる。
【００７８】
このようにして第１の実施の形態となる画像情報変換システムは、２４Ｆｐｓで撮影された映画フィルム１０をＰＡＬ方式の６２５／５０のビデオ信号と、ＮＴＳＣ方式の５２５／５９．９４のビデオ信号に変換することができる。
【００７９】
この場合、マスタビデオテープカセット１３を１本にするということは、テレシネ装置１１の使用を１度にするということであるので、映画フィルム１０を傷つける頻度を少なくできる。また、ＮＴＳＣ方式でも６２５／５０のマスタビデオテープカセットを使い、走査線６２５本からラインインターポレーションにて走査線５２５本を作るので、元から５２５本で変換するよりも高画質が期待できる。また、モディファイディジタルビデオテープ再生装置１５は既存のＤ−１ビデオ再生装置のＰＬＬ回路を変更し、外部基準信号を変更するだけでよいのでコストの低減を図ることができる。
【００８０】
次に、第２の実施の形態について図９及び図１０を参照しながら説明する。
【００８１】
この第２の実施の形態は、２５Ｆｐｓで撮影された映画フィルム２０上の画像情報をＰＡＬ方式の走査線６２５（本）／フィールド周波数５０（Ｈｚ）の映像信号、及びＮＴＳＣ方式の５２５／５９．９４の映像信号に変換する画像情報変換方法を適用した画像情報変換システムである。
【００８２】
この画像情報変換システムが上記第１の実施の形態と異ならせるのは、２５Ｆｐｓで撮影された映画フィルム２０をテレシネ装置１１で２５Ｆｐｓで再生することと、モディファイディジタルビデオテープ再生装置１３１での再生をフィールド周波数４９．９５Ｈｚ（正確には５０／１．００１＝４９．９５００４９９５・・・であるが、以下４９．９５と表記する。）となるように行い、ＮＴＳＣ変換部１３２のフィールド周波数変換装置１３３でのフィールド周波数変換を６／５倍とする点である。他の各部については第１の実施の形態と同様であるので詳細な説明を省略する。
【００８３】
ディジタルビデオテープ記録装置１２は、テレシネ装置１１が２５Ｆｐｓで再生した６２５／５０のビデオ信号をビデオテープカセット１３に記録する。このディジタルビデオテープ記録装置１２で６２５／５０規格のビデオ信号が記録されたビデオテープカセット１３は、ＰＡＬ方式の再生系、及びＮＴＳＣ方式の再生系でＤ−１ビデオテープ再生装置をディジタルビデオテープ再生装置１４、及びモディファイディジタルビデオテープ再生装置１３１として用いることにより、共通のマスタビデオテープカセット１３とすることができる。
【００８４】
マスタビデオテープカセット１３を１本とするということは、テレシネ装置１１の使用を一度とすることであるので、ソフト的な価値の非常に高い映画フィルム１０を傷つける頻度を少なくできる。
【００８５】
また、ＮＴＳＣ方式の映像信号に編集を加える場合でも６２５／５０のビデオ信号が記録されたマスタテープ１３を使うので、６２５／５０での編集が可能となり、垂直解像度を向上することができる。
【００８６】
このマスタビデオテープカセット１３の磁気テープ７７をディジタルビデオテープ再生装置１４がそのままフィールド周波数５０Ｈｚで再生すれば、ＰＡＬ方式の６２５／５０のビデオ信号を得ることができる。この場合、ビデオ信号の再生時間は、２５Ｆｐｓ記録の映画フィルム２０に対するテレシネ装置１１での再生が２５Ｆｐｓ同一速度で行われているので、全く同じにすることができる。
【００８７】
モディファイディジタル再生装置１３１は、サーボ系を図５に示すように構成し、ＰＬＬ回路１０２を図６に示すように構成して、外部からフィールド周波数４９．９５Ｈｚをもった６２５／４９．９５基準信号を入力することによりマスターカセット１３の磁気テープ７７に記録されている６２５／５０のビデオ信号をフィールド周波数４９．９５Ｈｚとなるように再生する。
【００８８】
このモディファイディジタルビデオテープ再生装置１３１で得られた５２５／４９．９５Ｈｚのビデオ信号は、ＮＴＳＣ変換部１３２に供給されて、５２５／５９．９４のビデオ信号に変換される。
【００８９】
ＮＴＳＣ変換部１３２は、上述したように、６２５／４９．９５の映像信号の走査線数を５２５本に変換する走査線数変換装置１７と、フィールド周波数を５９．９４Ｈｚに変換するフィールド周波数変換装置１３３とを備えてなる。
【００９０】
走査線数変換装置１７は、６２５本の走査線を５２５本に走査線補間（ラインインターポレーション）する。この走査線数変換装置１７は、６２５本の走査線を５７６アクティブラインから４８６アクティブラインへと垂直フィルタリングして、５２５本の走査線を得ている。走査線が６２５本である場合の垂直解像度は、５２５本の場合の垂直解像度より高いので、リサンプリングプロセスでの垂直解像度の損失はなくなり、高画質が期待できる。
【００９１】
フィールド周波数変換装置１３３は、４９．９５Ｈｚというフィールド周波数を６／５倍して５９．９４Ｈｚに変換するために、いわゆる３：２：３：２：２プルダウン処理を行う。
【００９２】
このいわゆる３：２：３：２：２プルダウン処理について図１０を参照しながら説明する。フィールド周波数４９．９５Ｈｚのビデオ信号をインターレースで走査し、入力側１３３ａのevenフィールドを出力側１３３ｂのevenフィールドに、入力側１３３ａのoddフィールドを出力側１３３ｂのoddフィールドになるように変換する。入力側１３３ａの映像信号はテレシネ装置１１の映像出力に基づいているので、同一フレーム内においては時間差がない。このため、出力側１３３ｂに変換される映像信号は、時間的には不都合を生じさせない。入力側５フレームにつき、出力側に新たに１フレームを作り出すことになるが、フレーム内のフィールド順に不都合を生じさせないので動きに不自然さを感じさせない。
【００９３】
なお、このＮＴＳＣ変換部１３２により得られた５２５／５９．９４のビデオ信号は、映画フィルム２０より０．１％だけ長くなる。
【００９４】
このようにして第２の実施の形態となる画像情報変換システムは、２５Ｆｐｓで撮影された映画フィルム２０をＰＡＬ方式の６２５／５０のビデオ信号と、ＮＴＳＣ方式の５２５／５９．９４のビデオ信号に変換することができる。
【００９５】
この場合、マスタビデオテープカセット１３を１本とすればよいので、テレシネ装置１１の使用は１度であり、映画フィルム２０を傷つける頻度を少なくできる。また、ＮＴＳＣ方式でも６２５／５０のマスタビデオテープカセットを使い、走査線６２５本からラインインターポレーションにて走査線５２５本を作るので、元から５２５本で変換するよりも高画質が期待できる。
【００９６】
また、２５Ｆｐｓで撮影された映画フィルム２０を用いているので、ビデオ信号に変換されたとき、５２５／５９．９４のビデオ信号、及び６２５／５０のビデオ信号とも、映画フィルムの演奏時間と実用上同じ演奏時間となる。
【００９７】
また、モディファイディジタルビデオテープ再生装置１３１は既存のＤ−１ビデオ再生装置のＰＬＬ回路を変更し、外部基準信号を変更するだけでよいのでコストの低減を図ることができる。
【００９８】
なお、上記第１及び第２の実施の形態では、ディジタルビデオテープ再生装置、及びモディファイディジタルビデオテープ再生装置により、６２５／５０の映像信号、及び５２５／５９．９４の映像信号を共に得ているが、いずれかを選択的に動作させていずれかの映像信号を得るようにしてもよい。
【００９９】
また、モディファイディジタルビデオ再生装置のみを用い、６２５／５０及び６２５／４７．９５２の映像信号を再生したり、６２５／５０及び６２５／４９．９５の映像信号を再生してもよい。この場合には、５２５／５９．９４を得るためのＮＴＳＣ変換部の動作を選択的にすることになる。
【０１００】
【発明の効果】
本発明に係る画像情報変換方法は、１秒間当たり所定のコマ数で撮影された映画フィルム上の画像情報を第１の変換工程が走査線数６２５（本）／フィールド周波数５０（Ｈｚ）の映像信号に変換し、その６２５／５０の映像信号を記録工程が記録媒体に記録し、その記録媒体から再生工程が６２５／５０の映像信号を第１の変換工程で用いたフィールド周波数５０Ｈｚとは異なるフィールド周波数で再生してから、第２の変換工程が該映像信号をＮＴＳＣ方式の５２５／５９．９４の映像信号に変換するので、テレシネ装置の使用を１度とし、使用効率を上げると共に、映画フィルムを傷める頻度を下げることができる。また、マスターテープを一本だけにできる。
【０１０１】
また、上記第１の変換工程が１秒間当たり２５コマで撮影された映画フィルム上の画像情報を同じスピードで再生した場合、上記第２の変換工程は上記再生工程で得られた映像信号のフィールド周波数を６／５倍にするので、上記二つの方式の映像信号の演奏時間を実用上映画フィルムの演奏時間と同じにすることができる。
【図面の簡単な説明】
【図１】本発明に係る画像情報変換方法の第１の実施の形態のブロック図である。
【図２】上記第１の実施の形態に用いるテレシネ装置の詳細な構成を示すブロック図である。
【図３】上記第１の実施の形態に用いるディジタルビデオテープ記録装置に適用できるＤ−１ビデオテープ記録装置のビデオ、オーディオ処理系のブロック図である。
【図４】上記第１の実施の形態に用いるディジタルビデオテープ再生装置に適用できるＤ−１ビデオテープ再生装置のビデオ、オーディオ処理系のブロック図である。
【図５】上記第１の実施の形態に用いるモディファイディジタルビデオテープ再生装置に適用できるＤ−１ビデオテープ再生装置のサーボ系のブロック図である。
【図６】上記サーボ系のＰＬＬ回路の具体例を示すブロック図である。
【図７】上記第１の実施の形態に用いられるフィールド周波数変換装置のいわゆる３：２ブルダウン処理を説明するために用いたインターレース走査を示す図である。
【図８】上記第１の実施の形態に用いられるフィールド周波数変換装置が行ういわゆる３：２ブルダウン処理の原理図である。
【図９】本発明に係る画像情報変換方法の第２の実施の形態のブロック図である。
【図１０】上記第２の実施の形態に用いられるフィールド周波数変換装置が行ういわゆる３：２：３：２：２プルダウン処理の原理図である。
【図１１】従来の画像情報変換システムの構成を示すブロック図である。
【符号の説明】
１０  映画フィルム、１１  テレシネ装置、１２  ディジタルビデオテープ記録装置、１３  マスタビデオテープカセット、１４  ディジタルビデオテープ再生装置、１５  モディファイディジタルビデオテープ再生装置、１６  ＮＴＳＣ変換部、１７  走査先数変換装置、１８  フィールド周波数変換装置
【図１】
0003901803.tif 000002
【図２】
0003901803.tif 000003
【図３】
0003901803.tif 000004
【図４】
0003901803.tif 000005
【図５】
0003901803.tif 000006
【図６】
0003901803.tif 000007
【図７】
0003901803.tif 000008
【図８】
0003901803.tif 000009
【図９】
0003901803.tif 000010
【図１０】
0003901803.tif 000011
【図１１】
0003901803.tif 000012